(57)【特許請求の範囲】
【請求項１】
光ディスクが収納されるメインシャーシと、
このメインシャーシに後端近傍を左右方向の２個所で第１緩衝部材を介在して支持され、その支持個所を支点に回動することで、前記メインシャーシ内に収納された前記光ディスクの記録面に対し接近／離間移動するように昇降するトラバースシャーシと、
このトラバースシャーシに支持されて前記光ディスクの記録面に沿う径方向に往復移動する光ピックアップユニットと、
前記トラバースシャーシの前端部に左右方向の２個所で第２緩衝部材を介在して取り付けられ、前記トラバースシャーシの回動の駆動を司るシフトレバーと、
このシフトレバーの前面から前方に突出するように設けられた突軸に係合するカム溝を有し、前記メインシャーシに対して左右方向にスライド移動することで、前記突軸を前記カム溝に沿って案内して前記シフトレバーと共に前記トラバースシャーシを回動させるカムスライダと、を備えた光ディスク装置において、
前記シフトレバーの前記突軸には、前記カムスライダの前記カム溝を貫通して越えた先端部から上方に突出する突片が形成されていて、
前記メインシャーシには、前記トラバースシャーシが回動して前記シフトレバーが前記トラバースシャーシと共に最上昇したときに、前記突片の後面が当接する当接部が形成されており、
前記シフトレバーの左右方向の両側には、それぞれ、前記第２緩衝部材による取付け個所を互いに結ぶ線の延長線上又はその延長線の近傍に、左右方向での外方に突出した後、上方に折れ曲がって伸び出す、弾性変形可能な伸出片が形成されていて、
前記メインシャーシには、前記トラバースシャーシが回動して前記シフトレバーが前記トラバースシャーシと共に最上昇したときに、前記各伸出片の先端部分と左右方向での外方から微小隙間をあけて対向する対向部が形成されており、
前記各伸出部の先端部分が、前記各対向部へ向けて丸みを帯びていることを特徴とする光ディスク装置。
【請求項２】
光ディスクが収納されるメインシャーシと、
このメインシャーシに後端近傍を左右方向の２個所で第１緩衝部材を介在して支持され、その支持個所を支点に回動することで、前記メインシャーシ内に収納された前記光ディスクの記録面に対し接近／離間移動するように昇降するトラバースシャーシと、
このトラバースシャーシに支持されて前記光ディスクの記録面に沿う径方向に往復移動する光ピックアップユニットと、
前記トラバースシャーシの前端部に左右方向の２個所で第２緩衝部材を介在して取り付けられ、前記トラバースシャーシの回動の駆動を司るシフトレバーと、を備えた光ディスク装置において、
前記シフトレバーの左右方向の両側には、それぞれ、左右方向での外方に突出した後、上方に折れ曲がって伸び出す、弾性変形可能な伸出片が形成されていて、
前記メインシャーシには、前記トラバースシャーシが回動して前記シフトレバーが前記トラバースシャーシと共に最上昇したときに、前記各伸出片の先端部分と左右方向での外方から微小隙間をあけて対向する対向部が形成されていることを特徴とする光ディスク装置。
【請求項３】
前記各伸出部の先端部分が、前記各対向部へ向けて丸みを帯びていることを特徴とする請求項２に記載の光ディスク装置。
【請求項４】
前記各伸出部は、前記シフトレバーの両側において、前記第２緩衝部材による取付け個所を互いに結ぶ線の延長線上又はその延長線の近傍に形成されていることを特徴とする請求項２又は３に記載の光ディスク装置。
【請求項５】
前記シフトレバーの前面には前方に突出する突起が設けられ、この突起からは上方に突出する突片が形成されていて、
前記メインシャーシには、前記トラバースシャーシが回動して前記シフトレバーが前記トラバースシャーシと共に最上昇したときに、前記突片の後面が当接する当接部が形成されていることを特徴とする請求項２〜４の何れかに記載の光ディスク装置。
【請求項６】
前記シフトレバーの前面から前方に突出するように設けられた突軸に係合するカム溝を有し、前記メインシャーシに対して左右方向にスライド移動することで、前記突軸を前記カム溝に沿って案内して前記シフトレバーと共に前記トラバースシャーシを回動させるカムスライダを備え、
前記シフトレバーの前記突起が前記突軸であり、この突軸には、前記カムスライダの前記カム溝を貫通して越えた先端部に前記突片が形成されていることを特徴とする請求項５に記載の光ディスク装置。
【発明の詳細な説明】
【技術分野】
【０００１】
本発明は、情報記録媒体であるＣＤやＤＶＤ等の光ディスクに対して情報の再生や記録を行うための光ディスク装置に関する。
【背景技術】
【０００２】
一般に、光ディスク装置は、クランプした光ディスクを回転させ、その光ディスクの記録面にレーザー光を出射してその記録面上に情報を書き込んだり（記録）、更に光ディスクの記録面で反射したレーザー光を受光してその記録面上の情報を読み取ったり（再生）するものであり、図６、図７に示すように、大きくは、固定のメインシャーシ１と、可動のトラバースシャーシ２とから外形が構成される（例えば、特許文献１〜３参照）。メインシャーシ１は、例えばポリスチレン（ＰＳ）等の合成樹脂の成形品であり、このメインシャーシ１には、ディスクトレイ（不図示）が前面（図６では下部）から内外へ挿脱可能に支持されている。そして、メインシャーシ１の外部へ引き出されたディスクトレイ上に光ディスクが載置され、そのディスクトレイがメインシャーシ１の内部へ送り込まれることによって、メインシャーシ１内に光ディスクが収納される。
【０００３】
続いて、トラバースシャーシ２は、例えばポリフェニレンエーテル（ＰＰＥ）等の合成樹脂の成形品であり、メインシャーシ１に対し、後端（図６では上側の端）近傍を左右方向の２個所で緩衝部材３１（以下説明の便宜上、「第１緩衝部材」と記すことがある）を介在して支持され、その支持個所を支点として回動可能になっている。その第１緩衝部材３１によるトラバースシャーシ２の支持構造の詳細については後述する。トラバースシャーシ２は、光ディスクが収納されたメインシャーシ１に対して回動（図６では紙面に垂直な方向に回動）することで、その光ディスクの記録面に対して接近／離間移動するように昇降し、最上昇した状態で光ディスクがクランプされる。
【０００４】
ここでのトラバースシャーシ２の回動は、以下に示すような構成によって行われる。トラバースシャーシ２の前端（回動中心となる方の一端とは反対側の端、すなわち図６では下側の端）部には、左右方向の２個所で緩衝部材３２（以下説明の便宜上、「第２緩衝部材」と記すことがある）を介在してシフトレバー７が一体的に取り付けられており、このシフトレバー７からは、円柱状の突軸７ａ（図７参照）が前方に突出している。その第２緩衝部材３２によるシフトレバー７の取付け構造の詳細については後述する。一方メインシャーシ１には、トラバースシャーシ２の前端の前方に、カム溝６ａ（図７参照）を有するカムスライダ６が、トラバースシャーシ２の左右方向にスライド移動可能に支持されている。そのカムスライダ６のカム溝６ａに、トラバースシャーシ２と一体のシフトレバー７の突軸７ａが係合している。そして、カムスライダ６のスライド移動に従って突軸７ａがカム溝６ａに沿って案内され、これによりトラバースシャーシ２が回動する。つまり、トラバースシャーシ２の回動は、カムスライダ６のスライド移動に従って行われる。
【０００５】
ここでのカムスライダ６のスライド移動の駆動は、以下に示すような構成によってなされる。トラバースシャーシ２には、その側部（図６では右側の側部）にモータ（不図示）が搭載されており、このモータの主軸４に固定されたピニオンギア５Ａに１つが噛み合いつつ、互いが噛み合って概ね前後方向に連なる第１従動ギア５Ｂ、第２従動ギア５Ｃ、第３従動ギア５Ｄが軸支されている。一方メインシャーシ１には、その最前部の第３従動ギア５Ｄと噛合可能なトレイギア８が軸支されている。また、カムスライダ６の端部（図６では右側の端部）には、スライド移動の方向と同じ方向である左右方向に延在するラックが形成されている。そのラックには、カムスライダ６が一方の移動端の近傍から他方の移動端の近傍まで移動する間、トレイギア８が噛合い、その反面、カムスライダ６が両移動端に位置しているときには、そのトレイギア８との噛合いが外れるようになっている。
【０００６】
そして、上記モータからの駆動力が第３従動ギア５Ｄに伝達されて、互いに噛合う第３従動ギア５Ｄとトレイギア８とが回転し、その回転するトレイギア８にカムスライダ６のラックが噛合うことによって、カムスライダ６がスライド移動するようになる。こうして、カムスライダ６がスライド移動し、そのスライド移動に従いトラバースシャーシ２が昇降する。その際、第３従動ギア５Ｄは、トレイギア８と互いに噛合いつつ摺動しながら、トラバースシャーシ２と共に昇降する。
【０００７】
また、トラバースシャーシ２には、光ディスクの記録面に記録されている情報を読み取ったり、その記録面に情報を書き込んだりするための光ピックアップユニット３が搭載されている。この光ピックアップユニット３は、大きくは、レーザー光を出射する半導体レーザー等の光源、光源からのレーザー光に基づく光ディスクからの反射光を最終的に受光して検出し電気信号に変換するフォトダイオード等の光検出器、光源からのレーザー光を光ディスクの反射を経て光検出器まで導く回折格子やハーフミラーや対物レンズ等の光学系、これらの各部品が取り付けられたベース部材、より構成される。
【０００８】
その光ピックアップユニット３の構成要素であるベース部材は、トラバースシャーシ２に対し、光ディスクの記録面に沿う径方向となる前後方向に延在するガイド軸やガイドレールに支持されており、その径方向に往復移動可能になっている。つまり、光ピックアップユニット３全体がトラバースシャーシ２に支持され、光ディスクの記録面に沿う径方向に往復移動するようになっている。
【０００９】
ここでの光ピックアップユニット３の移動の駆動は、トラバースシャーシ２に搭載されている上記モータからの駆動力によって行われる。例えば、光ピックアップユニット３におけるベース部材の側部にスライドラック３ａが取り付けられており、そのスライドラック３ａに、トラバースシャーシ２に軸支されて上記モータからの駆動力が伝達される第１従動ギア５Ｂが噛合うことにより、その第１従動ギア５Ｂの回転に従い光ピックアップユニット３が移動する。その際、トラバースシャーシ２が最上昇した状態であり、カムスライダ６のラックとトレイギア８との噛合いが外れるとともに、そのトレイギア８と第３従動ギア５Ｄとの噛合いが外れている。従って、上記モータからの駆動力によって第３従動ギア５Ｄは回転する一方、トレイギア８及びカムスライダ６は停止している。
【００１０】
なお、上記モータからの駆動力は、ディスクトレイの挿脱移動にも活用される。例えば、ディスクトレイには、その側部で前後方向に延在するトレイ用ラックが設けられている。そして、そのトレイ用ラックにトレイギア８が噛合うことにより、そのトレイギア８の回転に従いディスクトレイが前後方向に移動する。その際、トラバースシャーシ２が最下降した状態であり、カムスライダ６のラックとトレイギア８との噛合いが外れている。従って、上記モータからの駆動力によって第３従動ギア５Ｄ及びトレイギア８は回転する一方、カムスライダ６は停止している。
【００１１】
また、トラバースシャーシ２には、トラバースシャーシ２が最上昇した状態で光ディスクをクランプして回転させるために、光ディスクの中心付近をクランプするターンテーブル９や、このターンテーブル９に回転力を与えるスピンドルモータが搭載されている。
【００１２】
ところで、このような光ディスク装置では、光ピックアップユニット３の駆動、トラバースシャーシ２の駆動及びディスクトレイの駆動が、いずれも１つのモータの駆動力によりなされるわけであるが、各々の駆動に際してそのモータの駆動を適正に制御するために、エンコーダＥが適用されている。
【００１３】
このエンコーダＥは、モータの主軸４に固定のピニオンギア５Ａに取り付けられた円板状のスリット板Ｓと、このスリット板Ｓの外周縁部を上下から挟み込むように配置されたフォトインタラプタ（ＰＩ；Photo Interrupter）Ｐとより構成される。スリット板Ｓには、放射状に多数のスリットが形成されている。フォトインタラプタＰは、専用のプリント回路基板（以下、「ＰＩ基板」と記すことがある）ＰＢにハンダ付けされて実装されており、このＰＩ基板ＰＢは、トラバースシャーシ２上に立てた状態で取り付けられている。ここでのＰＩ基板ＰＢは、光ディスク装置全体の動作を制御する制御部に接続されている。
【００１４】
このような構成のもと、モータの駆動すなわちその主軸４の回転に従ってスリット板Ｓが回転するわけであるが、その際、フォトインタラプタＰの間を通過するスリットが順次検出され、それに応じたパルス信号がＰＩ基板ＰＢから出力される。制御部は、そのパルス信号を受けてそのパルス数をカウントし、光ピックアップユニット３、トラバースシャーシ２及びディスクトレイ各々の駆動に適正な駆動信号（例えばモータへの電圧値に関する信号）をモータへ与える。なお、図６中の符号ＳＷは、光ピックアップユニット３が光ディスクの内周端位置に達しているか否かを検出する内周端検知スイッチであり、この内周端検知スイッチＳＷのオン／オフ出力された時点が、ＰＩ基板ＰＢからのパルス信号をカウントする際の基準点として用いられる。
【００１５】
さて、メインシャーシ１へのトラバースシャーシ２の回動可能な支持は、以下のようになされる。トラバースシャーシ２は、メインシャーシ１に対し、その後端近傍の左右２個所において、第１緩衝部材３１を個々に介在した状態で、それぞれビス４１によってねじ止めされて取り付けられ、これにより回動可能に支持される。
【００１６】
その構造を具体的に説明すると、ここで用いられる第１緩衝部材３１は、柔軟なゴム等で成形された概ね円筒状のものであって、その外周に環状溝が形成されている。トラバースシャーシ２の後端部には、左右２個所に、第１緩衝部材３１の環状溝とほぼ同径で、上下方向に貫通する貫通穴が設けられている。各貫通穴は、その一部がトラバースシャーシ２の縁まで開放している。一方メインシャーシ１には、トラバースシャーシ２の各貫通穴の位置に対応して、円柱状のボス１ａが形成され、このボス１ａにねじ穴が設けられている。そのボス１ａの外径は、第１緩衝部材３１の内径とほぼ同じである。
【００１７】
そして、第１緩衝部材３１がその環状溝をトラバースシャーシ２の貫通穴に嵌め込まれ、その内穴がメインシャーシ１のボス１ａに嵌め込まれる。その第１緩衝部材３１の内穴にビス４１が挿し込まれ、そのままビス４１がボス１ａのねじ穴にねじ込まれる。こうして、トラバースシャーシ２は、その後端近傍を第１緩衝部材３１を介在してメインシャーシ１に支持され、第１緩衝部材３１が許容する弾性変形によりその支持個所を支点として回動可能になる。
【００１８】
また、トラバースシャーシ２へのシフトレバー７の取付けは、以下のようになされる。シフトレバー７は、トラバースシャーシ２に対し、その左右２個所において、第２緩衝部材３２を個々に介在した状態で、それぞれビス４２によってねじ止めされて取り付けられる。
【００１９】
その構造を具体的に説明すると、ここで用いられる第２緩衝部材３２は、上記したメインシャーシ１へのトラバースシャーシ２の支持に用いられる第１緩衝部材３１と同様に、柔軟なゴム等で成形された概ね円筒状のものであって、その外周に環状溝が形成されている。シフトレバー７には、左右２個所に、円柱状のボス７ｂが形成され、このボス７ｂにねじ穴が設けられている。そのボス７ｂの外径は、第２緩衝部材３２の内径とほぼ同じである。一方トラバースシャーシ２の前端部には、シフトレバー７の各ボス７ｂの位置に対応して、第２緩衝部材３２の環状溝とほぼ同径で、上下方向に貫通する貫通穴が設けられている。各貫通穴は、その一部がトラバースシャーシ２の縁まで開放している。
【００２０】
そして、第２緩衝部材３２がその環状溝をトラバースシャーシ２の貫通穴に嵌め込まれ、その内穴がシフトレバー７のボス７ｂに嵌め込まれる。その第２緩衝部材３２の内穴にビス４２が挿し込まれ、そのままビス４２がボス７ｂのねじ穴にねじ込まれる。こうして、シフトレバー７は、第２緩衝部材３２を介在してトラバースシャーシ２の前端部に取り付けられる。
【００２１】
このような第１緩衝部材３１、第２緩衝部材３２は、光ディスクの回転に起因してトラバースシャーシ２に生じる振動を吸収して抑制するのに寄与する。
【特許文献１】特開２００５−１００６０３号公報
【特許文献２】特開２００４−２５９３１２号公報
【特許文献３】特開２００４−１５２３８８号公報
【発明の開示】
【発明が解決しようとする課題】
【００２２】
ところで、このような光ディスク装置では、光ディスクの重心位置のバラツキによっては、トラバースシャーシ２に生じる振動を第１緩衝部材３１、第２緩衝部材３２で十分に吸収しきれないことがある。その理由を以下に説明する。
【００２３】
例えば、トラバースシャーシ２の昇降方向である上下方向、すなわち光ディスクの記録面へのフォーカス方向（以下、「Ｆｏ方向」と記すことがある）については、最上昇した状態でのトラバースシャーシ２とシフトレバー７は、メインシャーシ１に対し、トラバースシャーシ２の後端近傍を第１緩衝部材３１を介在して左右２個所で支持されつつ、トラバースシャーシ２の前端部に第２緩衝部材３２を介在して取り付けられたシフトレバー７からの突軸７ａがカムスライダ６のカム溝６ａに係合して支持されているのみである。そして、互いに係合するシフトレバー７からの突軸７ａとカムスライダ６のカム溝６ａと同士には、Ｆｏ方向で極微小ではあるが隙間が存在する。そのため、トラバースシャーシ２とシフトレバー７と同士は、第２緩衝部材３２が許容する弾性変形と、カム溝６ａ内での突軸７ａの傾動とによって、丁度第２緩衝部材３２による取付け個所で屈曲するように変位して、Ｆｏ方向の振動が増長される。
【００２４】
また、トラバースシャーシ２の昇降方向と直角な左右方向、すなわち光ディスクの円周方向となるタンジェンシャル方向（以下、「Ｔａｎ方向」と記すことがある）については、最上昇した状態でのトラバースシャーシ２とシフトレバー７は、メインシャーシ１に対し、トラバースシャーシ２の後端近傍を第１緩衝部材３１を介在して左右２個所で支持されているのみである。そのため、トラバースシャーシ２とシフトレバー７と同士は、第２緩衝部材３２が許容する弾性変形によって、Ｔａｎ方向の振動が増長される。
【００２５】
このような事態は、特に、重心位置が過剰に偏芯した光ディスク（以下、「偏重心ディスク」と記すことがある）の場合に顕著となり、トラバースシャーシ２には、第１緩衝部材３１、第２緩衝部材３２で十分に吸収しきれない振動が発生してしまう。この振動は、不快な振動音の発生をもたらしたり、場合によっては情報の再生や記録を困難にしたりする。
【００２６】
そこで本発明は、上記の問題に鑑みてなされたものであり、トラバースシャーシの振動を確実に抑制できる光ディスク装置を提供することを目的とするものである。
【課題を解決するための手段】
【００２７】
上記目的を達成するため、本発明による光ディスク装置は、光ディスクが収納されるメインシャーシと、このメインシャーシに後端近傍を左右方向の２個所で第１緩衝部材を介在して支持され、その支持個所を支点に回動することで、前記メインシャーシ内に収納された前記光ディスクの記録面に対し接近／離間移動するように昇降するトラバースシャーシと、このトラバースシャーシに支持されて前記光ディスクの記録面に沿う径方向に往復移動する光ピックアップユニットと、前記トラバースシャーシの前端部に左右方向の２個所で第２緩衝部材を介在して取り付けられ、前記トラバースシャーシの回動の駆動を司るシフトレバーと、このシフトレバーの前面から前方に突出するように設けられた突軸に係合するカム溝を有し、前記メインシャーシに対して左右方向にスライド移動することで、前記突軸を前記カム溝に沿って案内して前記シフトレバーと共に前記トラバースシャーシを回動させるカムスライダと、を備えた光ディスク装置において、次の点を特徴とする。前記シフトレバーの前記突軸には、前記カムスライダの前記カム溝を貫通して越えた先端部から上方に突出する突片が形成されていて、前記メインシャーシには、前記トラバースシャーシが回動して前記シフトレバーが前記トラバースシャーシと共に最上昇したときに、前記突片の後面が当接する当接部が形成されている。更に、前記シフトレバーの左右方向の両側には、それぞれ、前記第２緩衝部材による取付け個所を互いに結ぶ線の延長線上又はその延長線の近傍に、左右方向での外方に突出した後上方に折れ曲がって伸び出す伸出片が形成されていて、前記メインシャーシには、前記トラバースシャーシが回動して前記シフトレバーが前記トラバースシャーシと共に最上昇したときに、前記各伸出片の先端部分と左右方向での外方から微小隙間をあけて対向する対向部が形成されている。そして、前記各伸出部の先端部分が、前記各対向部へ向けて丸みを帯びている。
【００２８】
このような構成にすると、最上昇した状態でのトラバースシャーシとシフトレバーについては、第１に、シフトレバーの突片の後面がメインシャーシの当接部に当接しているため、第２緩衝部材による取付け個所でのＦｏ方向の屈曲が抑えられ、その結果として、Ｆｏ方向の振動が抑制される。第２に、シフトレバーの各伸出片の先端部分とメインシャーシの対向部とが微小隙間をあけて対向しているため、Ｔａｎ方向に過剰な振動が発生した場合、その各伸出片と対向部とが当接するわけであるが、その当接のたびに各伸出片の弾性変形により振動が減衰され、その結果として、Ｔａｎ方向の振動が抑制される。
【００２９】
また、上記目的を達成するための本発明による光ディスク装置は、光ディスクが収納されるメインシャーシと、このメインシャーシに後端近傍を左右方向の２個所で第１緩衝部材を介在して支持され、その支持個所を支点に回動することで、前記メインシャーシ内に収納された前記光ディスクの記録面に対し接近／離間移動するように昇降するトラバースシャーシと、このトラバースシャーシに支持されて前記光ディスクの記録面に沿う径方向に往復移動する光ピックアップユニットと、前記トラバースシャーシの前端部に左右方向の２個所で第２緩衝部材を介在して取り付けられ、前記トラバースシャーシの回動の駆動を司るシフトレバーと、を備えた光ディスク装置において、前記シフトレバーの前面には前方に突出する突起が設けられ、この突起からは上方に突出する突片が形成されていて、前記メインシャーシには、前記トラバースシャーシが回動して前記シフトレバーが前記トラバースシャーシと共に最上昇したときに、前記突片の後面が当接する当接部が形成されている。
【００３０】
このような構成にすると、最上昇した状態でのトラバースシャーシとシフトレバーについては、シフトレバーの突片の後面がメインシャーシの当接部に当接しているため、第２緩衝部材による取付け個所でのＦｏ方向の屈曲が抑えられ、その結果として、Ｆｏ方向の振動が抑制される。
【００３１】
ここで、実用性を踏まえると、前記シフトレバーの前面から前方に突出するように設けられた突軸に係合するカム溝を有し、前記メインシャーシに対して左右方向にスライド移動することで、前記突軸を前記カム溝に沿って案内して前記シフトレバーと共に前記トラバースシャーシを回動させるカムスライダを備え、前記シフトレバーの前記突起が前記突軸であり、この突軸には、前記カムスライダの前記カム溝を貫通して越えた先端部に前記突片が形成されていることが好ましい。
【００３２】
また、上記目的を達成するための本発明による光ディスク装置は、光ディスクが収納されるメインシャーシと、このメインシャーシに後端近傍を左右方向の２個所で第１緩衝部材を介在して支持され、その支持個所を支点に回動することで、前記メインシャーシ内に収納された前記光ディスクの記録面に対し接近／離間移動するように昇降するトラバースシャーシと、このトラバースシャーシに支持されて前記光ディスクの記録面に沿う径方向に往復移動する光ピックアップユニットと、前記トラバースシャーシの前端部に左右方向の２個所で第２緩衝部材を介在して取り付けられ、前記トラバースシャーシの回動の駆動を司るシフトレバーと、を備えた光ディスク装置において、前記シフトレバーの左右方向の両側には、それぞれ、左右方向での外方に突出した後上方に折れ曲がって伸び出す伸出片が形成されていて、前記メインシャーシには、前記トラバースシャーシが回動して前記シフトレバーが前記トラバースシャーシと共に最上昇したときに、前記各伸出片の先端部分と左右方向での外方から微小隙間をあけて対向する対向部が形成されている。
【００３３】
このような構成にすると、最上昇した状態でのトラバースシャーシとシフトレバーについては、シフトレバーの各伸出片の先端部分とメインシャーシの対向部とが微小隙間をあけて対向しているため、Ｔａｎ方向に過剰な振動が発生した場合、その各伸出片と対向部とが当接するわけであるが、その当接のたびに各伸出片の弾性変形により振動が減衰され、その結果として、Ｔａｎ方向の振動が抑制される。
【００３４】
ここで、実用性を踏まえると、前記各伸出部の先端部分が、前記各対向部へ向けて丸みを帯びていることが好ましい。また、前記各伸出部は、前記シフトレバーの両側において、前記第２緩衝部材による取付け個所を互いに結ぶ線の延長線上又はその延長線の近傍に形成されていることが好ましい。
【発明の効果】
【００３５】
本発明の光ディスク装置によれば、トラバースシャーシの振動を確実に抑制できる。
【発明を実施するための最良の形態】
【００３６】
以下に、本発明の光ディスク装置の一実施形態について図面を参照しながら詳述する。図１は本発明の一実施形態である光ディスク装置の要部を示す縦断面図、図２はその光ディスク装置の要部を示す横断面図であって、いずれの図もトラバースシャーシが最上昇した状態を示している。図３〜図５はその光ディスク装置におけるシフトレバーの外観を示す図であって、図３は斜視図、図４は上面図、図５は前面図である。なお、これらの図中で図６、図７と同じ名称で同じ機能を果たす部分には同一の符号を付し、重複する説明は適宜省略する。
【００３７】
本実施形態の光ディスク装置では、図６に示すものと同じく、トラバースシャーシ２は、メインシャーシ１に対し、後端近傍を左右方向の２個所で第１緩衝部材３１を介在して支持され、その支持個所を支点として回動可能になっている。また、トラバースシャーシ２の前端部には、左右方向の２個所で第２緩衝部材３２を介在してシフトレバー７が一体的に取り付けられている。このシフトレバー７の前面からは概ね円柱状の突軸７ａが前方に突出しており、その突軸７ａはカムスライダ６のカム溝６ａに係合している。そして、カムスライダ６がメインシャーシ１に対して左右方向にスライド移動するに従って、シフトレバー７の突軸７ａがカムスライダ６のカム溝６ａに沿って案内され、これにより、シフトレバー７と共にトラバースシャーシ２が回動する。但し、次の点で従来のものと大きく異なる。
【００３８】
本実施形態では、図１、図３〜図５に示すように、シフトレバー７の前面からの突軸７ａが、カムスライダ６のカム溝６ａに係合しつつ、そのカム溝６ａを貫通して大きく越えており、その先端部には、上方に突出する四角柱状の突片７ｃが形成されている。なお、突片７ｃは円柱状であっても構わない。
【００３９】
一方メインシャーシ１には、回動によってシフトレバー７がトラバースシャーシ２と共に最上昇したときに、シフトレバー７の突片７ｃの後面が当接する当接部１ｂが形成されている。もっとも、トラバースシャーシ２とシフトレバー７が昇降している最中や最下降した状態では、シフトレバー７の突片７ｃがメインシャーシ１の当接部１ｂに干渉することは一切ない。
【００４０】
また本実施形態では、図２、図３〜図５に示すように、シフトレバー７の左右方向の両側には、それぞれ弾性変形が可能な伸出片７ｄ、７ｄが形成されている。左側の伸出片７ｄは、左右方向での外方である左方に突出した後上方に折れ曲がって伸び出し、他方の右側の伸出片７ｄは、左右方向での外方である右方に突出した後上方に折れ曲がって伸び出している。特にここでの伸出片７ｄ、７ｄは、トラバースシャーシ２へのシフトレバー７の取付け個所となるボス７ｂ、７ｂを互いに結ぶ線の延長線の近傍、具体的にはその延長線より若干前方にずれた位置に形成されている。なお、伸出片７ｄ、７ｄは、その延長線上の位置に形成されても構わない。また、ここでの伸出片７ｄ、７ｄは、その先端部分が、後述するメインシャーシ１の対向部１ｃ、１ｃへ向けて丸みを帯びている。
【００４１】
一方メインシャーシ１には、回動によってシフトレバー７がトラバースシャーシ２と共に最上昇したときに、シフトレバー７の各伸出片７ｄ、７ｄの先端部分と微小隙間をあけて対向する対向部１ｃ、１ｃが形成されている。左側の対向部１ｃは、左側の伸出片７ｄと左右方向での外方である左方から微小隙間をあけて対向し、他方の右側の対向部１ｃは、右側の伸出片７ｄと左右方向での外方である右方から微小隙間をあけて対向している。もっとも、トラバースシャーシ２とシフトレバー７が昇降している最中や最下降した状態でも、シフトレバー７の伸出片７ｄ、７ｄがメインシャーシ１の対向部１ｃ、１ｃに干渉することは一切ない。
【００４２】
このような構成にすれば、最上昇した状態でのトラバースシャーシ２とシフトレバー７については、シフトレバー７の突片７ｃの後面がメインシャーシ１の当接部１ｂに当接しているため、仮に偏重心ディスクを取り扱ったとしても、その突片７ｃと当接部１ｂとの当接により、第２緩衝部材３２による取付け個所でのＦｏ方向の屈曲が抑えられ、その結果として、Ｆｏ方向の振動が抑制される。
【００４３】
また、最上昇した状態でのトラバースシャーシ２とシフトレバー７については、シフトレバー７の各伸出片７ｄ、７ｄの先端部分とメインシャーシ１の対向部１ｃ、１ｃとが微小隙間をあけて対向しているため、仮に偏重心ディスクを取り扱ってＴａｎ方向に過剰な振動が発生した場合、その各伸出片７ｄ、７ｄと対向部１ｃ、１ｃとが当接するわけであるが、その当接のたびに各伸出片７ｄ、７ｄの弾性変形により振動が減衰され、その結果として、Ｔａｎ方向の振動が抑制される。
【００４４】
従って、トラバースシャーシ２には、第１緩衝部材３１、第２緩衝部材３２で十分に吸収しきれない振動が発生してしまうことはなく、トラバースシャーシ２の振動を確実に抑制できる。
【００４５】
また本実施形態では、シフトレバー７の各伸出片７ｄ、７ｄが、シフトレバー７の両側において、第２緩衝部材３２によるトラバースシャーシ２へのシフトレバー７の取付け個所を互いに結ぶ線の延長線上又はその延長線の近傍に形成されているため、Ｔａｎ方向の振動を有効に抑制できる。また本実施形態では、その伸出片７ｄ、７ｄの先端部分が、メインシャーシ１の対向部１ｃ、１ｃへ向けて丸みを帯びているため、Ｔａｎ方向に過剰な振動が発生した場合に、円滑に対向部１ｃ、１ｃと当接できる。
【００４６】
その他本発明は上記の実施形態に限定されず、本発明の趣旨を逸脱しない範囲で、種々の変更が可能である。例えば、シフトレバー７における突片７ｃが形成される対象としては、カムスライダ６のカム溝６ａに係合する突軸７ａに限定されるわけではなく、シフトレバー７の前面に前方に突出する突起を設け、この突起に突片７ｃを形成しても構わない。この場合、メインシャーシ１には、突起の突片７ｃに対応して当接部１ｂを形成することになる。
【産業上の利用可能性】
【００４７】
本発明は、光ディスクに対して情報の再生や記録を行うための光ディスク装置に有用である。
【図面の簡単な説明】
【００４８】
【図１】本発明の光ディスク装置の要部を示す縦断面図である。
【図２】本発明の光ディスク装置の要部を示す横断面図である。
【図３】本発明の光ディスク装置におけるシフトレバーの外観を示す斜視図である。
【図４】図３のシフトレバーの上面図である。
【図５】図３のシフトレバーの前面図である。
【図６】一般的な光ディスク装置の構成を示す平面図である。
【図７】従来の光ディスク装置の要部を示す縦断面図である。
【符号の説明】
【００４９】
１    メインシャーシ
１ｂ    当接部
１ｃ    対向部
２    トラバースシャーシ
３    光ピックアップユニット
６    カムスライダ
６ａ    カム溝
７    シフトレバー
７ａ    突軸
７ｃ    突片
７ｄ    伸出片
３１    第１緩衝部材
３２    第２緩衝部材
【図１】
0004458050.tif 000002
【図２】
0004458050.tif 000003
【図３】
0004458050.tif 000004
【図４】
0004458050.tif 000005
【図５】
0004458050.tif 000006
【図６】
0004458050.tif 000007
【図７】
0004458050.tif 000008